(57)【特許請求の範囲】
【請求項１】
音声データをパケット化し、該パケット化したパケットデータをネットワークに転送する処理を行う変換手段と、
前記処理が有効な状態で、且つ、前記処理を無効にさせるための無効化要求を受け付けている状態の場合に、前記音声データにトーン部分が含まれている場合は、前記変換手段で行う前記処理を無効化しないことで経路切替を行わないよう制御する制御手段と、
を有することを特徴とする通信装置。
【請求項２】
前記処理は、音声データをパケット化する処理、または、パケット化したパケットデータをネットワークに転送する処理であることを特徴とする請求項１記載の通信装置。
【請求項３】
前記音声データを監視し、トーンの開始時点とトーンの終了時点とを検出するトーン検出手段と、
前記トーン検出手段が前記トーンの開始時点を検出してから前記トーンの終了時点を検出するまではトーン継続中と判定するトーン継続判定手段と、
を有し、
前記制御手段は、前記トーン継続判定手段がトーン継続中と判定した場合は、前記音声データにトーン部分が含まれていると判断することを特徴とする請求項１または２記載の通信装置。
【請求項４】
送信装置と、受信装置と、がネットワークを介して接続する通信システムであって、
前記送信装置は、
音声データをパケット化し、該パケット化したパケットデータを前記ネットワークに転送する処理を行う変換手段と、
前記音声データに含まれるトーンに応じて前記変換手段で行う前記処理を制御する制御手段と、を有し、
前記受信装置は、
前記ネットワークを介して受け付けた前記パケットデータを音声データに変換する変換手段を有し、
前記通信システムは、さらに、前記処理を無効にさせるための指示を行う経路切替装置を有し、
前記制御手段は、前記処理が有効な状態で、且つ、前記処理を無効にさせるための無効化要求を前記経路切替装置から受け付けている状態の場合に、前記音声データにトーン部分が含まれている場合は、前記変換手段で行う前記処理を無効化しないことで経路切替を行わないよう制御することを特徴とする通信システム。
【請求項５】
通信装置で行う制御方法であって、
音声データをパケット化し、該パケット化したパケットデータをネットワークに転送する処理を行う変換工程と、
前記処理が有効な状態で、且つ、前記処理を無効にさせるための無効化要求を受け付けている状態の場合に、前記音声データにトーン部分が含まれている場合は、前記変換工程で行う前記処理を無効化しないことで経路切替を行わないよう制御する制御工程と、
を有することを特徴とする制御方法。
【請求項６】
通信装置のコンピュータに実行させるプログラムであって、
音声データをパケット化し、該パケット化したパケットデータをネットワークに転送する処理を行う変換処理と、
前記処理が有効な状態で、且つ、前記処理を無効にさせるための無効化要求を受け付けている状態の場合に、前記音声データにトーン部分が含まれている場合は、前記変換処理で行う前記処理を無効化しないことで経路切替を行わないよう制御する制御処理と、を、前記コンピュータに実行させることを特徴とするプログラム。
【発明の詳細な説明】
【技術分野】
【０００１】
本発明は、音声データを中継する技術に関する。
【背景技術】
【０００２】
近年では、音声データをTDM（Time Division Multiplexing）ネットワークのみで転送するのではなく、ATM（Asynchronous Transfer Mode）ネットワークやIP（Internet Protocol）ネットワークなどの複数のネットワークを経由して転送している。
【０００３】
TDMネットワークのみで音声データを転送する場合の経路切替では、TDMネットワーク中のクロックが同期しているため、装置間での経路切替タイミングがずれることがほとんどない。このため、TDMネットワークのみで音声データを転送する場合の経路切替では、その経路切替によってトーン部分が途切れることがなかった。
【０００４】
しかし、音声データを複数のネットワークを経由して転送する場合の経路切替では、音声データをパケット化して転送する送信側のパケット化タイミングが送信側の装置毎に異なる。このため、音声データを複数のネットワークを経由して転送する場合の経路切替では、経路切替前後の音声データの連続性が損なわれ、音声データに含まれるトーン部分を正しく認識できなかったりする場合がある。
【０００５】
上記の問題を解決する手法としては、例えば、パケットネットワークとしてIPネットワークを使う場合には、IETF（Internet Engineering Task Force）のRFC（Request For Comments）2833の手法によって、音声データ中のトーン部分を特殊なパケットにして送出する方法がある。
【０００６】
しかし、上述したRFC2833の手法を適用するためには、送信側と受信側との両方の装置でRFC2833の手法に対応した機能を実装する必要があるため、ネットワーク上に存在する既存の装置を変更する必要性が生じることになる。
【０００７】
このようなことから、既存の装置をなるべく改良することなく、トーン部分を正しく認識することが可能な仕組みの開発が必要視されている。
【０００８】
なお、本発明より先に出願された技術文献として、特許文献１（特開2003-318981号公報）には、処理装置を切り替える必要がある場合でも、ATMセルに多重されているショートセルを欠落させることなく継続して分離する技術について開示されている。
【０００９】
上記特許文献１では、ショートセル分離装置を、現用系装置と、予備系装置と、の２系統で構成し、現用系装置では、切り替えセルを受信しても、切り替えセルの前後にまたがるショートセルの処理が完了するまでは、分離処理及び出力処理を継続して実行する。また、予備系装置では、切り替えセルを受信した後に、現用系装置と並行してショートセルの分離処理だけ開始する。そして、現用系装置において該当するショートセルのまたがり処理が完了した時点で、現用系装置から予備系装置へ処理主体の切り替えを行う。切り替えを行った後は、予備系装置がショートセルの分離処理及び出力処理を実行する。これにより、装置を切り替える必要がある場合でも、ATMセルに多重されているショートセルを欠落させることなく継続して分離することを可能にしている。
【００１０】
また、特許文献２（特開2007-251809号公報）には、メディアゲートウェイ装置における系の切り替え時に生じる通信不可時間を短縮する技術について開示されている。
【００１１】
上記特許文献２では、メディアゲートウェイ装置は、時分割多重データ処理部と、パケットデータ変換処理部と、を有し、パケットデータ変換処理部は、系切り替え時、運用系からのパケット送信を停止し、新運用系がパケット送信を開始してから、新運用系への切り替えを行うと共に、時分割多重データ処理部とパケットデータ変換処理部との間の接続の切り替えを行うことにしている。これにより、メディアゲートウェイ装置における系の切り替え時に生じる通信不可時間を短縮することを可能にしている。
【先行技術文献】
【特許文献】
【００１２】
【特許文献１】特開２００３−３１８９８１号公報
【特許文献２】特開２００７−２５１８０９号公報
【発明の概要】
【発明が解決しようとする課題】
【００１３】
上記特許文献１、２には、経路切替における制御の仕組みについて開示されている。しかし、上記特許文献１、２では、経路切替に伴うトーン部分の問題点については何ら考慮されていない。
【００１４】
本発明は、上記事情に鑑みてなされたものであり、上述した課題である、既存の装置をなるべく改良することなく、トーン部分を正しく認識することが可能な通信装置、通信システム、制御方法及びプログラムを提供することを目的とする。
【課題を解決するための手段】
【００１５】
かかる目的を達成するために、本発明は、以下の特徴を有することとする。
【００１６】
＜通信装置＞
本発明にかかる通信装置は、
音声データをパケット化し、該パケット化したパケットデータをネットワークに転送する処理を行う変換手段と、
前記音声データに含まれるトーンに応じて前記変換手段で行う前記処理を制御する制御手段と、
を有することを特徴とする。
【００１７】
＜通信システム＞
本発明にかかる通信システムは、
送信装置と、受信装置と、がネットワークを介して接続する通信システムであって、
前記送信装置は、
音声データをパケット化し、該パケット化したパケットデータを前記ネットワークに転送する処理を行う変換手段と、
前記音声データに含まれるトーンに応じて前記変換手段で行う前記処理を制御する制御手段と、を有し、
前記受信装置は、
前記ネットワークを介して受け付けた前記パケットデータを音声データに変換する変換手段を有することを特徴とする。
【００１８】
＜制御方法＞
本発明にかかる制御方法は、
通信装置で行う制御方法であって、
音声データをパケット化し、該パケット化したパケットデータをネットワークに転送する処理を行う変換工程と、
前記音声データに含まれるトーンに応じて前記変換工程で行う前記処理を制御する制御工程と、
を有することを特徴とする。
【００１９】
＜プログラム＞
本発明にかかるプログラムは、
通信装置のコンピュータに実行させるプログラムであって、
音声データをパケット化し、該パケット化したパケットデータをネットワークに転送する処理を行う変換処理と、
前記音声データに含まれるトーンに応じて前記変換処理で行う前記処理を制御する制御処理と、を、前記コンピュータに実行させることを特徴とする。
【発明の効果】
【００２０】
本発明によれば、既存の装置をなるべく改良することなく、トーン部分を正しく認識することができる。
【図面の簡単な説明】
【００２１】
【図１】本実施形態の通信システムの概要を説明するための図である。
【図２】本実施形態の通信システムのシステム構成例を示す図である。
【図３】通信システムを構成する送信装置100,200の内部構成例を示す図である。
【図４】送信装置100,200で行う処理動作例を示す図である。
【図５】本実施形態の通信システムで行う処理動作例を示す図である。
【図６】本実施形態の通信システムで行う処理動作例を示す図である。
【図７】本発明と関連する通信システムで行う処理動作例を示す図である。
【図８】本発明と関連する通信システムで行う処理動作例を示す図である。
【発明を実施するための形態】
【００２２】
＜通信システムの概要＞
まず、図１を参照しながら、本実施形態の例である通信システムの概要について説明する。
【００２３】
本実施形態における通信システムは、送信装置100,200と、受信装置400と、がネットワークNWPを介して接続して構成する通信システムである。
【００２４】
本実施形態の送信装置100,200は、音声データをパケット化し、該パケット化したパケットデータをネットワークNWPに転送する処理を行う変換部101と、音声データに含まれるトーンに応じて変換部101で行う処理を制御する制御部104と、を有し、受信装置400は、ネットワークNWPを介して受け付けたパケットデータを音声データに変換する変換部401を有して構成する。
【００２５】
また、本実施形態の通信システムは、変換部101で行う処理を無効にさせるための指示を行う経路切替装置300を有しており、制御部104は、変換部101で行う処理が有効な状態で、且つ、変換部101で行う処理を無効にさせるための無効化要求を経理切替装置300から受け付けている状態の場合に、音声データにトーン部分が含まれている場合は、変換部101で行う処理を無効にさせないようにする。
【００２６】
これにより、本実施形態の通信システムは、送信装置100,200は、音声データに含まれる全てのトーン部分をパケット化してネットワークNWPに転送することができる。その結果、受信装置400側を改良することなく、パケット化したトーン部分を正しく認識することができる。以下、添付図面を参照しながら、本実施形態の通信システムについて詳細に説明する。
【００２７】
（第１の実施形態）
＜通信システムのシステム構成例＞
まず、図２を参照しながら、本実施形態の例である通信システムのシステム構成例について説明する。図２は、本実施形態の例である通信システムのシステム構成例を示す図である。
【００２８】
本実施形態の例である通信システムは、第１のTDMネットワークNW1と、第１の送信装置100と、第２の送信装置200と、経路切替装置300と、パケットネットワークNWPと、受信装置400と、第２のTDMネットワークNW2と、を含んで構成している。なお、図２の通信システムは、２台の送信装置100、200を有して構成しているが、２台に限定せず、任意の台数で構成することが可能である。
【００２９】
第１の送信装置100、第２の送信装置200は、パケットネットワークNWP、経路切替装置300に接続している。第１の送信装置100、第２の送信装置200は、第１のTDMネットワークNW1から受け付けた同じTDM音声データをパケット化し、そのパケット化したパケットデータをパケットネットワークNWPに転送するパケット化動作処理を行う。第１、第２の送信装置100、200で行うパケット化動作処理を有効にするか無効にするかは、公知の経路切替装置300からの指示を基に制御する。経路切替装置300は、第１、第２の送信装置100、200に対して経路無効化要求、経路有効化要求を指示するものであり、公知の装置である。
【００３０】
受信装置400は、パケットネットワークNWP、第２のTDMネットワークNW2に接続している。受信装置400は、パケットネットワークNWPから受け付けたパケットデータをTDM音声データに変換し、そのTDM音声データを第２のTDMネットワークNW2に転送する処理を行う。
【００３１】
これにより、本実施形態の通信システムは、第１のTDMネットワークNW1経由で転送されてきたTDM音声データを、第１の送信装置100や第２の送信装置200でパケット化してパケットデータに変換し、そのパケットデータをパケットネットワークNWPに転送することができる。そして、パケットネットワークNWP経由で転送されてきたパケットデータを、受信装置400でTDM音声データに変換し、そのTDM音声データを第２のTDMネットワークNW2に転送することができる。
【００３２】
＜第１の送信装置100、第２の送信装置200の構成例＞
次に、図３を参照しながら、第１の送信装置100、第２の送信装置200の構成例について説明する。なお、第１の送信装置100、第２の送信装置200は同じ構成であるため、送信装置100として説明する。
【００３３】
本実施形態の送信装置100は、パケット−TDM変換部101、トーン検出部102、トーン継続判定部103、制御部104を有して構成する。
【００３４】
パケット−TDM変換部101は、第１のTDMネットワークNW1から受け付けたTDM音声データをパケット化してパケットデータに変換し、その変換したパケットデータをパケットネットワークNWPに転送するパケット化動作処理を行う。
【００３５】
トーン検出部102は、第１のTDMネットワークNW1から受け付けたTDM音声データを監視し、トーンの開始時点と、トーンの終了時点と、を検出し、その情報をトーン継続判定部103に通知する処理を行う。
【００３６】
トーン継続判定部103は、トーン検出部102から通知された情報を基に、トーン継続中か否かを判定する処理を行う。具体的には、トーンの開始時点が通知されてからトーンの終了時点が通知されるまでの間はトーン継続中と判定し、トーン継続中である旨を制御部104に通知する。
【００３７】
制御部104は、トーン継続判定部103から通知された情報と、経路切替装置300から指示された情報と、を基に、パケット−TDM変換部101のパケット化動作処理の有効化、無効化を制御する処理を行う。また、制御部104は、経路切替装置300から受け付けた指示に対する応答処理も行う。
【００３８】
＜送信装置100の処理動作例＞
次に、図４を参照しながら、本実施形態の送信装置100の処理動作例について説明する。図４に示す処理動作は、送信装置100がパケット化タイミングになった場合に、制御部104が行う。
【００３９】
制御部104は、送信装置100が所定のパケット化タイミングになった場合に（Start）、パケット−TDM変換部101のパケット化動作が有効か否かを判定し（ステップA1）、パケット化動作が有効である場合は（ステップA1/Yes）、経路切替装置300から経路無効化要求を受信しているか否かを判定する（ステップA2）。
【００４０】
経路無効化要求を受信していない場合は（ステップA2/No）、処理を終了する（End）。また、経路無効化要求を受信している場合は（ステップA2/Yes）、トーン継続中か否かを判定する（ステップA3）。トーン継続中である場合は（ステップA3/Yes）、処理を終了する（End）。トーン継続中でない場合は（ステップA3/No）、パケット化動作無効化処理を行い、パケット−TDM変換部101のパケット化動作処理を無効にし、パケット−TDM変換部101でパケット化したパケットデータを破棄し、パケットデータをパケットネットワークNWP側に出力しないように制御する（ステップA4）。そして、経路無効化完了通知を経路切替装置300に送信し（ステップA5）、処理を終了する（End）。
【００４１】
また、ステップA1においてパケット化動作が無効である場合は（ステップA1/No）、経路切替装置300から経路有効化要求を受信しているか否かを判定する（ステップA6）。
【００４２】
経路有効化要求を受信していない場合は（ステップA6/No）、処理を終了する（End）。また、経路有効化要求を受信している場合は（ステップA6/Yes）、パケット化動作有効化処理を行い、パケット−TDM変換部101のパケット化動作処理を有効にし、パケット−TDM変換部101でパケット化したパケットデータをパケットネットワークNWP側に出力するように制御する（ステップA7）。そして、経路有効化完了通知を経路切替装置300に送信し（ステップA8）、処理を終了する（End）。
【００４３】
このように、本実施形態の送信装置100は、パケット化タイミング毎に、図４に示す処理動作を行い、ステップA2において経路無効化要求を受信していると判定しても、ステップA3においてトーン継続中であると判定した場合は、ステップA4のパケット化動作無効化処理を行わないように制御する。これにより、本実施形態の送信装置100は、経路無効化要求を受信していても、トーン継続中である場合は、パケット−TDM変換部101でパケット化したパケットデータを破棄せず、パケットデータをパケットネットワークNWP側に出力することができる。
【００４４】
＜本実施形態の通信システムの処理動作例＞
次に、図４〜図６を参照しながら、本実施形態の通信システムの処理動作例について説明する。図５は、本実施形態の通信システムの処理動作例を示し、図６は、経路切替に伴う音声データの出力例を示す。
【００４５】
図５、図６の処理を行う前提として、第１の送信装置100は、パケット化動作が有効になっており、第２の送信装置200は、パケット化動作が無効になっているものとする。
【００４６】
まず、『時間T1』において、経路切替装置300は、第１の送信装置100に経路無効化要求を送信し（図５のS1）、第１の送信装置100は、経路無効化要求を受信する。なお、経路切替装置300において経路無効化要求を送信するトリガーは、特に限定せず、任意のトリガーで経路無効化要求を送信することが可能である。
【００４７】
第１の送信装置100は、経路無効化要求を受信している場合に、図６に示す所定の『A』のパケット化タイミングで図４に示す処理を開始すると、第１の送信装置100の経路無効化を行わず、図６に示す所定の『B』のパケット化タイミングで図４に示す処理を開始すると、第１の送信装置100の経路無効化を行うことになる。
【００４８】
具体的には、図６に示す所定の『A』のパケット化タイミングで図４に示す処理を開始すると、第１の送信装置100は、パケット化動作が有効になっているので、ステップA1は、“Yes”となる。続くステップA2は、経路無効化要求を受信しているため、“Yes”となる。続くステップA3は、トーン継続中であるため、“Yes”となり、経路無効化を行わず、処理を終了する（End）。
【００４９】
また、図６に示す所定の『B』のパケット化タイミングで図４に示す処理を開始すると、第１の送信装置100は、パケット化動作が有効になっているので、ステップA1は、“Yes”となる。続くステップA2は、経路無効化要求を受信しているため、“Yes”となる。続くステップA3は、トーン継続中でないため、“No”となり、ステップA4に遷移し、パケット化動作無効化処理を行い、パケット−TDM変換部101のパケット化動作処理を無効にし、パケット−TDM変換部101でパケット化したパケットデータを破棄し、パケットデータをパケットネットワークNWP側に出力しないように制御する。そして、ステップA5で経路無効化完了通知を経路切替装置300に送信し、処理を終了する（End）。
【００５０】
これにより、第１の送信装置100は、『時間T2』において第１の送信装置100の経路無効化を行うことになり、経路切替装置300に経路無効化完了通知を送信することになる（図５のS2）。
【００５１】
経路切替装置300は、経路無効化完了通知を受信した場合に、第２の送信装置200に経路有効化要求を送信し（図５のS3）、第２の送信装置200は、経路有効化要求を受信する。
【００５２】
第２の送信装置200は、経路有効化要求を受信している場合に、図６に示す所定の『C』のパケット化タイミングで図４に示す処理を開始すると、第２の送信装置200の経路有効化を行うことになる。
【００５３】
具体的には、図６に示す所定の『C』のパケット化タイミングで図４に示す処理を開始すると、第２の送信装置200は、パケット化動作が無効になっているので、ステップA1は、“No”となる。続くステップA6は、経路有効化要求を受信しているため、“Yes”となり、ステップA7に遷移し、パケット化動作有効化処理を行い、パケット−TDM変換部101のパケット化動作処理を有効にし、パケット−TDM変換部101でパケット化したパケットデータをパケットネットワークNWP側に出力するように制御する。そして、ステップA8で経路有効化完了通知を経路切替装置300に送信し、処理を終了する（End）。
【００５４】
これにより、第２の送信装置200は、第２の送信装置200の経路有効化を行うことになり、経路切替装置300に経路有効化完了通知を送信することになる（図５のS4）。
【００５５】
次に、『時間T3』において、経路切替装置300は、第２の送信装置200に経路無効化要求を送信し（図５のS5）、第１の送信装置100は、経路無効化要求を受信する。
【００５６】
第２の送信装置200は、経路無効化要求を受信している場合に、図６に示す所定の『D、E、F』のパケット化タイミングで図４に示す処理を開始すると、第２の送信装置200の経路無効化を行わず、図６に示す所定の『G』のパケット化タイミングで図４に示す処理を開始すると、第２の送信装置200の経路無効化を行うことになる。
【００５７】
具体的には、図６に示す所定の『D、E、F』のパケット化タイミングで図４に示す処理を開始すると、第２の送信装置200は、パケット化動作が有効になっているので、ステップA1は、“Yes”となる。続くステップA2は、経路無効化要求を受信しているため、“Yes”となる。続くステップA3は、トーン継続中であるため、“Yes”となり、経路無効化を行わず、処理を終了する（End）。
【００５８】
また、図６に示す所定の『G』のパケット化タイミングで図４に示す処理を開始すると、第２の送信装置200は、パケット化動作が有効になっているので、ステップA1は、“Yes”となる。続くステップA2は、経路無効化要求を受信しているため、“Yes”となる。続くステップA3は、トーン継続中でないため、“No”となり、ステップA4に遷移し、パケット化動作無効化処理を行い、パケット−TDM変換部101のパケット化動作処理を無効にし、パケット−TDM変換部101でパケット化したパケットデータを破棄し、パケットデータをパケットネットワークNWP側に出力しないように制御する。そして、ステップA5で経路無効化完了通知を経路切替装置300に送信し、処理を終了する（End）。
【００５９】
これにより、第２の送信装置200は、『時間T4』において第２の送信装置200の経路無効化を行うことになり、経路切替装置300に経路無効化完了通知を送信することになる（図５のS6）。
【００６０】
経路切替装置300は、経路無効化完了通知を受信した場合に、第１の送信装置100に経路有効化要求を送信し（図５のS7）、第１の送信装置100は、経路有効化要求を受信する。
【００６１】
第１の送信装置100は、経路有効化要求を受信している場合に、図６に示す所定の『H』のパケット化タイミングで図４に示す処理を開始すると、第１の送信装置100の経路有効化を行うことになる。
【００６２】
具体的には、図６に示す所定の『H』のパケット化タイミングで図４に示す処理を開始すると、第１の送信装置100は、パケット化動作が無効になっているので、ステップA1は、“No”となる。続くステップA6は、経路有効化要求を受信しているため、“Yes”となり、ステップA7に遷移し、パケット化動作有効化処理を行い、パケット−TDM変換部101のパケット化動作処理を有効にし、パケット−TDM変換部101でパケット化したパケットデータをパケットネットワークNWP側に出力するように制御する。そして、ステップA8で経路有効化完了通知を経路切替装置300に送信し、処理を終了する（End）。
【００６３】
これにより、第１の送信装置100は、第１の送信装置100の経路有効化を行うことになり、経路切替装置300に経路有効化完了通知を送信することになる（図５のS8）。
【００６４】
本実施形態の通信システムは、第１、第２の送信装置100、200側で図４に示す経路切替処理を行うことで、第１、第２の送信装置100、200は、図６に示すように、第１のTDMネットワークNW１から転送される音声データ中に含まれるトーン部分B1、B2、B3を全てパケット化して受信装置400に転送することができる。このため、受信装置400は、既存の装置を使用しても、パケット化したトーン部分B1、B2、B3を正しく認識することができる。その結果、受信装置400から第２のTDMネットワークNW2に出力されるトーン部分B1、B2、B3が部分的に欠けたり、そのトーン部分B1、B2、B3が互いに結合したりすることを防止することができる。それぞれのトーン部分B1、B2、B3は、図６に示す受信装置400から出力された音声データに現れている。
【００６５】
＜本発明と関連する通信システムの処理動作例＞
ここで、図７、図８を参照しながら、本発明と関連する通信システムにおける処理動作例について説明する。なお、図７、図８の処理を行う前提として、第１の送信装置100'は、パケット化動作が有効になっており、第２の送信装置200'は、パケット化動作が無効になっているものとする。
【００６６】
まず、『時間T1』において、経路切替装置300'は、第１の送信装置100'に経路無効化要求を送信し（図７のS'1）、第１の送信装置100'は、経路無効化要求を受信する。
【００６７】
第１の送信装置100'は、経路無効化要求を受信している場合に、図８に示す所定の『A'』のパケット化タイミングで第１の送信装置100'の経路無効化を行い、経路切替装置300'に経路無効化完了通知を送信することになる（図７のS'2）。
【００６８】
経路切替装置300'は、経路無効化完了通知を受信した場合に、第２の送信装置200'に経路有効化要求を送信し（図７のS'3）、第２の送信装置200'は、経路有効化要求を受信する。
【００６９】
第２の送信装置200'は、経路有効化要求を受信している場合に、図８に示す所定の『B'』のパケット化タイミングで第２の送信装置200'の経路有効化を行い、経路切替装置300'に経路有効化完了通知を送信することになる（図７のS'4）。
【００７０】
また、『時間T3』において、経路切替装置300'は、第２の送信装置200'に経路無効化要求を送信し（図７のS'5）、第２の送信装置200'は、経路無効化要求を受信する。
【００７１】
第２の送信装置200'は、経路無効化要求を受信している場合に、図８に示す所定の『C'』のパケット化タイミングで第２の送信装置200'の経路無効化を行い、経路切替装置300'に経路無効化完了通知を送信することになる（図７のS'6）。
【００７２】
経路切替装置300'は、経路無効化完了通知を受信した場合に、第１の送信装置100'に経路有効化要求を送信し（図７のS'7）、第１の送信装置100'は、経路有効化要求を受信する。
【００７３】
第１の送信装置100'は、経路有効化要求を受信している場合に、図８に示す所定の『D'』のパケット化タイミングで第１の送信装置100'の経路有効化を行い、経路切替装置300'に経路有効化完了通知を送信することになる（図７のS'8）。
【００７４】
本発明と関連する通信システムでは、図８に示す所定の『A'』のパケット化タイミングで第１の送信装置100'の経路無効化を行い、図８に示す所定の『B'』のパケット化タイミングで第２の送信装置200'の経路有効化を行っている。このため、第１、第２の送信装置100'、200'は、図８に示すように、第１のTDMネットワークNW１から転送される音声データ中に含まれるトーン部分B1を全てパケット化して受信装置400'に転送することができない。このため、受信装置400'は、パケット化したトーン部分B1を正しく認識することができない。その結果、受信装置400'から第２のTDMネットワークNW2に出力されるトーン部分B1の途中が欠けて短くなってしまっている。
【００７５】
また、図８に示す所定の『C'』のパケット化タイミングで第２の送信装置200'の経路無効化を行い、図８に示す所定の『D'』のパケット化タイミングで第１の送信装置100'の経路有効化を行っている。このため、第１、第２の送信装置100'、200'は、図８に示すように、第１のTDMネットワークNW１から転送される音声データ中に含まれるトーン部分B2,B3を全てパケット化して受信装置400'に転送することができない。このため、受信装置400'は、パケット化したトーン部分B2,B3を正しく認識することができない。その結果、受信装置400'から第２のTDMネットワークNW2に出力されるトーン部分B2とトーン部分B3とはお互いに結合してしまっている。それぞれのトーン部分B1、B2、B3は、図８に示す受信装置400'から出力された音声データに現れている。
【００７６】
＜本実施形態の通信システムの作用・効果＞
このように、本実施形態の通信システムでは、送信装置100、200は、トーン継続中は、パケット−TDM変換部101のパケット化動作処理を無効にしないように制御する。これにより、送信装置100、200は、図６に示すように、第１のTDMネットワークNW１から転送される音声データ中に含まれるトーン部分B1、B2、B3を全てパケット化して受信装置400に転送することができる。このため、受信装置400は、既存の装置を使用しても、パケット化したトーン部分B1、B2、B3を正しく認識することができる。その結果、受信装置400から第２のTDMネットワークNW2に出力されるトーン部分B1、B2、B3が部分的に欠けたり、そのトーン部分B1、B2、B3が互いに結合したりすることを防止することができる。
【００７７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７８】
例えば、上述する実施形態では、第１、第２の送信装置100、200は、図４に示すステップA2において経路無効化要求を受信していても（ステップA2/Yes）、ステップA3においてトーン継続中である場合は（ステップA3/Yes）、処理を終了し（End）、ステップA4のパケット化動作無効化処理を行わないように制御した。しかし、ステップA3においてトーン継続中である場合は（ステップA3/Yes）、トーン継続中である旨を経路切替装置300側に通知するように制御することも可能である。これにより、経路切替装置300は、トーン継続中により経路無効化完了通知を受信できないことを把握することができる。
【００７９】
また、上述する実施形態では、パケット−TDM変換部101のパケット化動作処理を無効にする場合は、パケット−TDM変換部101でパケット化したパケットデータを破棄し、パケットデータをパケットネットワークNWP側に出力しないようにし、パケット−TDM変換部101のパケット化動作処理を有効にする場合は、パケット−TDM変換部101でパケット化したパケットデータをパケットネットワークNWP側に出力するようにした。しかし、パケット−TDM変換部101のパケット化動作処理を無効にする場合は、パケットデータをパケットネットワークNWP側に出力しないようにし、パケット−TDM変換部101のパケット化動作処理を有効にする場合は、パケットデータをパケットネットワークNWP側に出力するようにすることが可能であれば、様々な制御を行うように構築することが可能である。例えば、パケット−TDM変換部101のパケット化動作処理を無効にする場合は、パケット−TDM変換部101でのパケットデータへの変換処理を停止し、パケットデータをパケットネットワークNWP側に出力しないようにし、パケット−TDM変換部101のパケット化動作処理を有効にする場合は、パケット−TDM変換部101でのパケットデータへの変換処理を開始し、パケットデータをパケットネットワークNWP側に出力するようにすることも可能である。
【００８０】
また、上述した本実施形態の送信装置100、200における制御動作は、ハードウェア、または、ソフトウェア、あるいは、両者の複合構成を用いて実行することも可能である。
【００８１】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００８２】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、ブルーレイディスク、磁気ディスク、半導体メモリなどが挙げられる。
【００８３】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【００８４】
また、本実施形態における通信システムは、上記実施形態で説明した処理動作に従って時系列的に実行されるのみならず、処理を実行する装置の処理能力、あるいは、必要に応じて並列的にあるいは個別に実行するように構築することも可能である。
【００８５】
また、上記の実施形態の一部又は全部は、以下の付記のようにも記載されうるが、以下には限られない。
【００８６】
（付記１）
音声データをパケット化し、該パケット化したパケットデータをネットワークに転送する処理を行う変換手段と、
前記音声データに含まれるトーンに応じて前記変換手段で行う前記処理を制御する制御手段と、
を有することを特徴とする通信装置。
【００８７】
（付記２）
前記制御手段は、前記音声データにトーン部分が含まれている場合は、前記変換手段で行う前記処理を無効にさせないことを特徴とする付記１記載の通信装置。
【００８８】
（付記３）
前記処理は、音声データをパケット化する処理、または、パケット化したパケットデータをネットワークに転送する処理であることを特徴とする付記１または付記２記載の通信装置。
【００８９】
（付記４）
前記制御手段は、前記処理が有効な状態で、且つ、前記処理を無効にさせるための無効化要求を受け付けている状態の場合に、前記音声データにトーン部分が含まれている場合は、前記変換手段で行う前記処理を無効にさせないことを特徴とする付記２または付記３記載の通信装置。
【００９０】
（付記５）
前記音声データを監視し、トーンの開始時点とトーンの終了時点とを検出するトーン検出手段と、
前記トーン検出手段が前記トーンの開始時点を検出してから前記トーンの終了時点を検出するまではトーン継続中と判定するトーン継続判定手段と、
を有し、
前記制御手段は、前記トーン継続判定手段がトーン継続中と判定した場合は、前記音声データにトーン部分が含まれていると判断することを特徴とする付記２から付記４の何れか１項に記載の通信装置。
【００９１】
（付記６）
送信装置と、受信装置と、がネットワークを介して接続する通信システムであって、
前記送信装置は、
音声データをパケット化し、該パケット化したパケットデータを前記ネットワークに転送する処理を行う変換手段と、
前記音声データに含まれるトーンに応じて前記変換手段で行う前記処理を制御する制御手段と、を有し、
前記受信装置は、
前記ネットワークを介して受け付けた前記パケットデータを音声データに変換する変換手段を有することを特徴とする。
【００９２】
（付記７）
前記処理を無効にさせるための指示を行う経路切替装置を有し、
前記制御手段は、前記処理が有効な状態で、且つ、前記処理を無効にさせるための無効化要求を前記経理切替装置から受け付けている状態の場合に、前記音声データにトーン部分が含まれている場合は、前記変換手段で行う前記処理を無効にさせないことを特徴とする付記６記載の通信システム。
【００９３】
（付記８）
通信装置で行う制御方法であって、
音声データをパケット化し、該パケット化したパケットデータをネットワークに転送する処理を行う変換工程と、
前記音声データに含まれるトーンに応じて前記変換工程で行う前記処理を制御する制御工程と、
を有することを特徴とする制御方法。
【００９４】
（付記９）
通信装置のコンピュータに実行させるプログラムであって、
音声データをパケット化し、該パケット化したパケットデータをネットワークに転送する処理を行う変換処理と、
前記音声データに含まれるトーンに応じて前記変換処理で行う前記処理を制御する制御処理と、を、前記コンピュータに実行させることを特徴とするプログラム。
【符号の説明】
【００９５】
１００    第１の送信装置（通信装置）
２００    第２の送信装置（通信装置）
３００    経路切替装置
４００    受信装置
ＮＷ１    第１のＴＤＭネットワーク
ＮＷ２    第２のＴＤＭネットワーク
ＮＷＰ    パケットネットワーク
１０１    パケット−ＴＤＭ変換部（変換部）
１０２    トーン検出部
１０３    トーン継続判定部
１０４    制御部
４０１    変換部
【図１】
0005592207.tif 000002
【図２】
0005592207.tif 000003
【図３】
0005592207.tif 000004
【図４】
0005592207.tif 000005
【図５】
0005592207.tif 000006
【図６】
0005592207.tif 000007
【図７】
0005592207.tif 000008
【図８】
0005592207.tif 000009